【手続補正書】
【提出日】平成29年9月22日(2017.9.22)
【手続補正１】
【補正対象書類名】明細書
【補正対象項目名】０１３１
【補正方法】変更
【補正の内容】
【０１３１】
【表３】
2016533436.tif 000001
本発明の実施態様の一部を以下の項目［１］−［３０］に記載する。
［項目１］
コアと外層とを含む多成分繊維であって、前記外層の少なくとも一部分が、ポリジオルガノシロキサンポリアミドコポリマーを含む第１の溶融加工可能な組成物を含み、前記コアが、ポリジオルガノシロキサンポリマーを含まない第２の溶融加工可能な組成物を含み、前記多成分繊維が、５〜２５重量％のポリジオルガノシロキサンポリアミドコポリマーを含む、多成分繊維。
［項目２］
前記ポリジオルガノシロキサンポリオキサミドコポリマーが、次式Ｉ：
【化１】
2016533436.tif 000002
（式中、
各Ｒ１は、独立して、アルキル、ハロアルキル、アラルキル、アルケニル、アリール、又はアルキル、アルコキシ、若しくはハロで置換されたアリールであり、前記Ｒ１基の少なくとも５０パーセントはメチルであり、
各Ｙは、独立して、アルキレン、アラルキレン、又はこれらの組み合わせであり、
Ｇは、式Ｒ３ＨＮ−Ｇ−ＮＨＲ３のジアミンから２つの−ＮＨＲ３基を除いたものに相当する二価残基であり、
Ｒ３は、水素若しくはアルキルであるか、又はＲ３は、両方結合されるＧ及び窒素と共に複素環式基を形成し、
ｎは、独立して、４０〜１５００の整数であり、
ｐは、１〜１０の整数であり；
アスタリスク（＊）は、繰り返し単位がコポリマーの別の基に結合する部位を示す）の少なくとも２つの繰り返し単位を含む、項目１に記載の多成分繊維。
［項目３］
各Ｒ１がメチルであり、Ｒ３が水素である、項目２に記載の多成分繊維。
［項目４］
前記ポリジオルガノシロキサンポリオキサミドコポリマーが、ｐが１に等しい第１の繰り返し単位と、ｐが少なくとも２である第２の繰り返し単位とを有する、項目２又は３に記載の多成分繊維。
［項目５］
Ｇが、アルキレン、ヘテロアルキレン、アリーレン、アラルキレン、ポリジオルガノシロキサン、又はこれらの組み合わせである、項目２〜４のいずれか一項に記載の多成分繊維。
［項目６］
Ｙが、アルキレンである、項目２〜５のいずれか一項に記載の多成分繊維。
［項目７］
ｎが、５０〜３００の整数である、項目２〜６のいずれか一項に記載の多成分繊維。
［項目８］
前記第１の溶融加工可能な組成物が、感圧接着剤ではない、項目１〜７のいずれか一項に記載の多成分繊維。
［項目９］
前記第２の溶融加工可能な組成物が、ポリオレフィンポリマー、ポリオレフィンエラストマー、ポリウレタンエラストマー、又はこれらの混合物から選択される、項目１〜８のいずれか一項に記載の多成分繊維。
［項目１０］
前記第２の溶融加工可能な組成物が、ポリオレフィンであり、前記多成分繊維が、７５重量％〜９５重量％のポリオレフィンを含む、項目９に記載の多成分繊維。
［項目１１］
前記ポリオレフィンが、ポリプロピレンホモポリマー又はコポリマーである、項目１０に記載の多成分繊維。
［項目１２］
前記第２の溶融加工可能な組成物が、ポリオレフィンポリマーのブレンドである、項目９に記載の多成分繊維。
［項目１３］
前記ポリオレフィンエラストマーが、５〜６５重量％の範囲の量で前記ブレンド中に存在する、項目１２に記載の多成分繊維。
［項目１４］
項目１〜１３のいずれか一項に記載の多成分繊維を含む、不織布ウェブ。
［項目１５］
前記不織布ウェブが、少なくとも０．１０、又は０．２０、又は０．３０ｍｍの厚さを有する、項目１４に記載の不織布ウェブ。
［項目１６］
前記多成分繊維が、約５〜５０マイクロメートルの範囲の平均繊維径を有する、項目１４又は１５に記載の不織布ウェブ。
［項目１７］
前記多成分繊維が、１５マイクロメートル以下の平均繊維径を有する、項目１６に記載の不織布ウェブ。
［項目１８］
前記不織布ウェブが、２５〜２００ｇ／ｍ２の範囲の坪量を有する、項目１４〜１７のいずれか一項に記載の不織布ウェブ。
［項目１９］
前記不織布ウェブが、少なくとも１０００、３０００、又は５０００ｇ／ｍ２／２４ｈの直立ＭＶＴＲを有する、項目１４〜１８のいずれか一項に記載の不織布ウェブ。
［項目２０］
前記不織布ウェブが、少なくとも１０，０００ｇ／ｍ２／２４ｈの倒立ＭＶＴＲを有する、項目１４〜１９のいずれか一項に記載の不織布ウェブ。
［項目２１］
前記不織布ウェブが、ＥＮ２０８１１に従って、少なくとも５分間又は１０分間の透水耐性を有する、項目１４〜２０のいずれか一項に記載の不織布ウェブ。
［項目２２］
前記不織布ウェブが、抗菌剤を更に含む、項目１４〜２１のいずれか一項に記載の不織布ウェブ。
［項目２３］
少なくとも１０，０００ｇ／ｍ２／２４ｈの倒立ＭＶＴＲ、及びＥＮ２０８１１に従って２０ｍｂａｒ（２ｋＰａ）の水圧に対して少なくとも１０分間の透水耐性を有する、不織布ウェブ。
［項目２４］
前記不織布ウェブが、項目１〜１３のいずれか一項に記載の多成分繊維を含む、項目２３に記載の不織布ウェブ。
［項目２５］
裏地を含む医療用物品であって、前記裏地が、項目１４〜２４のいずれか一項に記載の不織布ウェブを含む、医療用物品。
［項目２６］
前記医療用物品が、テープ、創傷包帯、及び切開用ドレープからなる群から選択される、項目２５に記載の医療用物品。
［項目２７］
前記不織布裏地の主表面上に配置される皮膚接触材料を更に含む、項目２５又は２６に記載の医療用物品。
［項目２８］
前記皮膚接触材料が、接着剤、吸収剤、又はこれらの組み合わせである、項目２７に記載の医療用物品。
［項目２９］
前記吸収剤が、親水コロイド、ポリマーゲル、又は発泡体である、項目２８に記載の医療用物品。
［項目３０］
多成分マイクロ繊維を作製する方法であって
ポリジオルガノシロキサンポリアミドコポリマーを含む第１の溶融加工可能な組成物を準備する工程と、
ポリジオルガノシロキサンポリマーを含まない第２の溶融加工可能な組成物を準備する工程と、
前記第１及び前記第２の溶融加工可能な組成物をメルトブローして、コア及び外層を含む多成分繊維を形成する工程と、を含み、前記外層の少なくとも一部分が、前記第１の溶融加工可能な組成物を含み、前記コアが、前記第２の溶融加工可能な組成物を含み、前記多成分繊維が、５〜２５重量％のポリジオルガノシロキサンポリアミドを含む、方法。
【手続補正２】
【補正対象書類名】特許請求の範囲
【補正対象項目名】全文
【補正方法】変更
【補正の内容】
【特許請求の範囲】
【請求項１】
コアと外層とを含む多成分繊維であって、前記外層の少なくとも一部分が、ポリジオルガノシロキサンポリアミドコポリマーを含む第１の溶融加工可能な組成物を含み、前記コアが、ポリジオルガノシロキサンポリマーを含まない第２の溶融加工可能な組成物を含み、前記多成分繊維が、５〜２５重量％のポリジオルガノシロキサンポリアミドコポリマーを含み、前記第１の溶融加工可能な組成物が、感圧接着剤ではない、多成分繊維。
【請求項２】
前記第２の溶融加工可能な組成物が、ポリオレフィンポリマー、ポリオレフィンエラストマー、ポリウレタンエラストマー、又はこれらの混合物から選択される、請求項１に記載の多成分繊維。
【請求項３】
前記第２の溶融加工可能な組成物が、ポリオレフィンであり、前記多成分繊維が、７５重量％〜９５重量％のポリオレフィンを含む、請求項２に記載の多成分繊維。
【請求項４】
前記ポリオレフィンが、ポリプロピレンホモポリマー又はコポリマーである、請求項３に記載の多成分繊維。
【請求項５】
前記第２の溶融加工可能な組成物が、ポリオレフィンポリマーのブレンドである、請求項２に記載の多成分繊維。
【請求項６】
前記ポリオレフィンエラストマーが、５〜６５重量％の範囲の量で前記ブレンド中に存在する、請求項５に記載の多成分繊維。
【請求項７】
請求項１〜６のいずれか一項に記載の多成分繊維を含む、不織布ウェブ。
【請求項８】
少なくとも１０，０００ｇ／ｍ２／２４ｈの倒立ＭＶＴＲ、及びＥＮ２０８１１に従って２０ｍｂａｒの水圧に対して少なくとも１０分間の透水耐性を有し、
前記外層の少なくとも一部分が、ポリジオルガノシロキサンポリアミドコポリマーを含む第１の溶融加工可能な組成物を含み、前記コアが、ポリジオルガノシロキサンポリマーを含まない第２の溶融加工可能な組成物を含み、前記多成分繊維が、５〜２５重量％のポリジオルガノシロキサンポリアミドコポリマーを含む、不織布ウェブ。
【請求項９】
前記不織布ウェブが、請求項１〜６のいずれか一項に記載の多成分繊維を含む、請求項８に記載の不織布ウェブ。
【請求項１０】
裏地を含む医療用物品であって、前記裏地が、請求項７〜９のいずれか一項に記載の不織布ウェブを含む、医療用物品。